(57)【要約】      （修正有）【課題】低音再生スピーカが低音域増幅器を介して接続されており、消費電力の軽減のために、電源を自動的にオン／オフするオートパワーオン／オフ機能をもつオーディオアンプにおいて、構造を簡易にするとともに、電源ＯＮ時の雑音発生を抑制する。【解決手段】電源オフ状態の低音域増幅器が、設定レベル以上の信号が入力した際に電源がオンとなり、電源オン状態の低音域増幅器が、設定レベル以上の信号が起動用設定時間よりも長い増幅器用設定時間の間に入力しないと電源がオフとなるようにされている。オーディオアンプの電源オン時に、低音域増幅器の電源をオンするための起動信号を低音域増幅器への低音用信号経路に出力し、その後、低音用信号経路に設定レベル以上の信号が起動用設定時間内に入力しない場合に、起動信号を低音用信号経路に出力する出力手段ＤＳＰ１，マイコン１５が備えられている。【選択図】図１
2008079084.tif 000002
【特許請求の範囲】
【請求項１】
低音再生スピーカが低音域増幅器を介して接続されるオーディオアンプにおいて、
オーディオアンプの電源オン時に、低音域増幅器の電源をオンするための起動信号を  低音域増幅器への低音用信号経路に出力し、その後、低音用信号経路に設定レベル以上  の信号が起動用設定時間内に入力しない場合に、起動信号を低音用信号経路に出力する  出力手段
が備えられたオーディオアンプの低音域増幅器の電源制御装置。
【請求項２】
電源オフ状態の低音域増幅器が、設定レベル以上の信号が入力した際に電源がオンとなり、
電源オン状態の低音域増幅器が、設定レベル以上の信号が起動用設定時間よりも長い増幅器用設定時間の間に入力しないと電源がオフとなる請求項１記載のオーディオアンプの低音域増幅器の電源制御装置。
【請求項３】
オーディオアンプの電源オン時の起動信号の出力時間が、低音域増幅器の電源オン時の立ち上がり時間よりも短くされるか、又は、上記起動信号が低音再生スピーカの再生帯域外の高周波信号とされ、
オーディオアンプの電源オン後の起動信号が低音再生スピーカの再生帯域外の高周波信号とされた請求項２記載のオーディオアンプの低音域増幅器の電源制御装置。
【請求項４】
オーディオアンプが、
Ａ．入力されたデジタルオーディオ信号を処理して、複数のチャンネルのデジタルオー    ディオ信号を出力するデジタル信号処理部と、
Ｂ．デジタル信号処理部から入力されたデジタルオーディオ信号をアナログオーディオ    信号に変換するデジタルアナログコンバータ
を有する請求項１〜３の何れかに記載のオーディオアンプの低音域増幅器の電源制御装置。
【請求項５】
出力手段が
Ａ．起動信号を出力するデジタル信号処理部と、
Ｂ．デジタル信号処理部を制御する制御手段
を有する請求項４記載のオーディオアンプの低音域増幅器の電源制御装置。
【発明の詳細な説明】
【技術分野】
【０００１】
本発明は、オーディオ・ビジュアル機器（ＡＶ機器）のオーディオ装置におけるオーディオアンプの低音域増幅器の電源制御装置に関する。
【背景技術】
【０００２】
音場再生、サラウンド再生等に用いられるオーディオアンプとして、デジタル信号処理部（デジタルシグナルプロセッサ（以下「ＤＳＰ」という））を内蔵したものがＡＶアンプ、サラウンドアンプ等として知られている。このＤＳＰは、入力されたデジタルオーディオ信号を、音場再生、サラウンド再生用に信号処理し、音量を制御して、多チャンネルで出力し、低音域増幅器を内蔵した低音再生用スピーカ装置（以下、「サブウーファー」という）等のサラウンド再生用の複数のスピーカに供給する。
【０００３】
上記低音域増幅器には、消費電力の軽減のために、下記のように、電源が自動的にオン・オフされるオートパワーオン機能とオートパワーオフ機能が備えられている。即ち、オーディオアンプの電源オン時には、低音域増幅器は電源オフ状態とされており、この状態の低音域増幅器に、設定レベル（基準レベル）以上の信号が入力されると、電源が自動的にオンされる。又、電源オン状態の低音域増幅器に、予め設定された増幅器用設定時間内に、設定レベル以上の信号が入力されないと、電源が自動的にオフされる（例えば、特許文献１参照）。
【０００４】
上記のものでは、オーディオ再生時には、電源オフ状態の低音域増幅器に、設定レベル以上のオーディオ信号が入力されて、電源がオンされ、これにより、低音域増幅器が立ち上がるため、低音再生スピーカ用のオーディオ信号が、低音域増幅器の立ち上がり時間分だけ欠落して、サブウーファーから低音が再生出力されないとの問題があった。
【０００５】
この問題を解決するために、低音域増幅器への電力供給量を電力供給量検出部により測定し、この測定値に基づき、オーディオアンプの制御装置により、低音域増幅器が電源オンであるか、否かを判断し、電源オフである場合に、低音域増幅器に、設定レベル以上の信号を出力して、低音域増幅器の電源をオンするようにしたものが提案されている（例えば、特許文献２参照）。
【０００６】
しかし、上記従来のものでは、電力供給量検出部を備える必要があって、その分、構造が複雑になると共に、オーディオアンプとサブウーファーが離れていて、その距離が大である場合に、電力供給量検出部による測定値の制御装置への出力経路が問題となる。
【０００７】
【特許文献１】特開平８−２４２１２４号公報
【特許文献２】特開２００４−１９３６６７号公報
【発明の開示】
【発明が解決しようとする課題】
【０００８】
本発明は、構造を簡易にできると共に、オーディオアンプとサブウーファーが離れていて、その距離が大である場合でも何ら問題が生じないオーディオアンプの低音域増幅器の電源制御装置を提供することを目的とする。
【課題を解決するための手段】
【０００９】
上記目的を達成するために、本発明の特徴とするところは、低音再生スピーカが低音域増幅器を介して接続されるオーディオアンプにおいて、オーディオアンプの電源オン時に、低音域増幅器の電源をオンするための起動信号を低音域増幅器への低音用信号経路に出力し、その後、低音用信号経路に設定レベル以上の信号が起動用設定時間内に入力しない場合に、起動信号を低音用信号経路に出力する出力手段が備えられた点にある。
尚、電源オフ状態の低音域増幅器が、設定レベル以上の信号が入力した際に電源がオンとなり、電源オン状態の低音域増幅器が、設定レベル以上の信号が起動用設定時間よりも長い増幅器用設定時間の間に入力しないと電源がオフとなることもある。
又、オーディオアンプの電源オン時の起動信号の出力時間が、低音域増幅器の電源オン時の立ち上がり時間よりも短くされるか、又は、上記起動信号が低音再生スピーカの再生帯域外の高周波信号とされ、オーディオアンプの電源オン後の起動信号が低音再生スピーカの再生帯域外の高周波信号とされることもある。
尚、オーディオアンプが、Ａ．入力されたデジタルオーディオ信号を処理して、複数のチャンネルのデジタルオーディオ信号を出力するデジタル信号処理部と、Ｂ．デジタル信号処理部から入力されたデジタルオーディオ信号をアナログオーディオ信号に変換するデジタルアナログコンバータを有することもある。
又、出力手段がＡ．起動信号を出力するデジタル信号処理部と、Ｂ．デジタル信号処理部を制御する制御手段を有すこともある。
【発明の効果】
【００１０】
本発明によれば、下記の効果を奏する。
Ａ．低音域増幅器がオートパワーオン機能及びオートパワーオフ機能を有する場合にお    いて、オーディオアンプの電源がオン状態であるときには、低音域増幅器の電源をオ    ン状態とでき、オーディオアンプの電源がオフ状態であるときには、低音域増幅器の    電源もオフ状態とできる。それ故、低音再生スピーカ用のオーディオ信号が、低音域    増幅器の電源オン時の立ち上がり時間分だけ欠落して、低音再生スピーカから低音が    再生出力されないとの問題が生じない。
Ｂ．電力供給量検出部等を別途備える必要がなく、その分、構造を簡易にできる。
Ｃ．オーディオアンプと低音再生スピーカが離れていて、その距離が大である場合でも    、
イ．低音再生スピーカや低音域増幅器からオーディオアンプ側に何の信号も出力して      いないので、その出力経路に関して問題が生じる惧れはないと共に、
ロ．オーディオアンプから低音再生スピーカまでの低音用信号経路を利用して、低音      域増幅器に起動信号を出力できるので、起動信号の出力経路に関しても問題が生じ      る惧れをなくすことができる。
請求項３記載の発明によれば、オーディオアンプの電源オン時の起動信号の出力時間が、低音域増幅器の電源オン時の立ち上がり時間よりも短くされるか、又は、上記起動信号が低音再生スピーカの再生帯域外の高周波信号とされ、オーディオアンプの電源オン後の起動信号が低音再生スピーカの再生帯域外の高周波信号とされているので、起動信号が例えばポッブ音として低音再生スピーカから出力される惧れがない。
【発明を実施するための最良の形態】
【００１１】
以下、本発明の実施の形態の一例を図面に基づき説明すると、図１はオーディオアンプを示し、オーディオアンプは、デジタル信号処理部（デジタルシグナルプロセッサ（以下「ＤＳＰ」という））１と、アナログデジタルコンバータ（以下、「ＡＤＣ」という）２と、デジタルアナログコンバータ（以下、「ＤＡＣ」という）３〜８と、ボリューム（以下、「ＶＯＬ」という）９〜１４と、マイコン１５と、操作部１６等を有する。
【００１２】
ＤＳＰ１には、入力端子ＩＮ１からアナログオーディオ信号がＡＤＣ２を介して入力され、又、入力端子ＩＮ２からデジタルオーディオ信号が直接入力されるもので、入力されたオーディオ信号を、音場再生、サラウンド再生用に信号処理し、音量を制御して、５チャンネル（５系統）のデジタルオーディオ信号として出力する。この５チャンネルのオーディオ信号は、リスナーの前方左・中央・右に配置されるスピーカ（図示省略）用の前方左・中央・右チャンネルのオーディオ信号、リスナーの後方左右に配置されるスピーカ用の後方左右チャンネルのオーディオ信号及び、低音再生用スピーカ（以下、「サブウーファー」という）（図示省略）用のサブウーファー用チャンネルのオーディオ信号である。
【００１３】
ＡＤＣ２はアナログオーディオ信号をデジタルオーディオ信号に変換して、ＤＳＰ１に出力する。ＤＡＣ３〜８は、ＤＳＰ１から出力されたデジタルオーディオ信号をアナログオーディオ信号に変換し、音量調整用ＶＯＬ９〜１４を介して、上記各チャンネルのオーディオ信号用の出力端子ＯＵＴ１〜６に出力する。操作部１６はオーディオアンプを操作するためのもので、マイコン１５に指令を与える。尚、ＤＳＰ１、ＤＡＣ８、ＶＯＬ１４、出力端子ＯＵＴ６が低音用信号経路を構成する。
【００１４】
サブウーファー用チャンネルのオーディオ信号用の出力端子ＯＵＴ６には、低音域増幅器（図示省略）内蔵のサブウーファー（ＳＷ）が接続される。低音域増幅器には、下記のように、電源が自動的にオン・オフされるオートパワーオン機能とオートパワーオフ機能が備えられている。即ち、電源オフ状態の低音域増幅器に、設定レベル（基準レベル）Ｌ以上の信号が入力されると、電源が自動的にオンされる。又、電源オン状態の低音域増幅器に、設定レベルＬ以上の信号が予め設定された増幅器用設定時間Ｔ１内に入力されないと、電源が自動的にオフされる。
【００１５】
マイコン１５（マイクロコントローラ、システムコントローラ、制御装置、制御手段）は、情報処理を行う中央処理回路（ＣＰＵ）（図示省略）と、制御プログラムが記憶されているリードオンリーメモリ（ＲＯＭ）（図示省略）と、処理に際して必要な変数等を記憶するランダムアクセスメモリ（ＲＡＭ）（図示省略）と、時間を計測するためのタイマー等を有する。マイコン１５は、ＤＳＰ１と共に、低音域増幅器の電源をオンさせるための起動信号を出力する出力手段を構成するもので、オーディオアンプの電源オン時に、サブウーファー用起動制御信号をＤＳＰ１から出力すると共に、その後、低音域増幅器に設定レベル以上の信号が増幅器用設定時間Ｔ１よりも短い起動用設定時間Ｔ２内に入力しない場合に、起動制御信号をＤＳＰ１から出力する。
【００１６】
尚、図２に示すように、ＤＳＰ１は、上記起動制御信号により、サブウーファー用チャンネルのオーディオ信号用の出力端子ＯＵＴ６に、設定レベルＬ以上の起動信号を出力する。尚、オーディオアンプの電源オン時の起動信号に関して、その出力時間が、低音域増幅器の電源オン時の立ち上がり時間よりも短くされるか、又は、上記起動信号がサブウーファーの再生帯域外の高周波信号とされている。又、オーディオアンプの電源オン後の起動信号も低音再生スピーカの再生帯域外の高周波信号とされている。
【００１７】
次に、オーディオアンプの制御のフローチャートについて、図３に基づき説明する。まず、ステップＳ１で、オーディオアンプの電源がオンされたか、否かが判断される。ＮＯであれば、ステップＳ１に戻り、ＹＥＳであれば、ステップＳ２に移る。ステップＳ２では、起動信号が出力され、ステップＳ３に移る。ステップＳ３では、オーディオアンプの電源がオフされたか、否かが判断される。ＹＥＳであれば、ステップＳ１に戻り、ＮＯであれば、ステップＳ４に移る。
【００１８】
ステップＳ４では、サブウーファー用チャンネルのオーディオ信号が設定レベルＬよりも低いか、否かが判断される。ＮＯであれば、マイコン１５のタイマーがクリアーされて、ステップＳ３に戻る。ＹＥＳであれば、ステップＳ６に移る。ステップＳ６では、マイコン１５のタイマーがカウントとされて、ステップＳ７に移る。ステップＳ７では、上記カウント開始時から起動用設定時間Ｔ２が経過したか、否かが判断される。ＮＯであれば、ステップＳ３に戻り、ＹＥＳであれば、ステップＳ８に移る。ステップＳ８では、マイコン１５のタイマーがクリアーされて、ステップＳ９に移る。ステップＳ９では、起動信号が出力されて、ステップＳ３に戻る。
【００１９】
次に、図２に基づき具体的に説明すると、オーディオアンプの電源をオンすると、マイコン１５から起動制御信号がＤＳＰ１に出力される。これにより、ＤＳＰ１は、起動信号を、サブウーファー用チャンネルのオーディオ信号用のＤＡＣ８、ＶＯＬ１４、出力端子ＯＵＴ６、即ち、低音用信号経路を介して、低音域増幅器に出力し、電源オフ状態の低音域増幅器の電源をオンさせる。
【００２０】
オーディオ再生時には、ＤＳＰ１から、ＤＡＣ８、ＶＯＬ１４、出力端子ＯＵＴ６を介して、低音域増幅器にサブウーファー用チャンネルのオーディオ信号が入力されて、サブウーファーから低音が再生出力される。
【００２１】
低音域増幅器に設定レベルＬ以上のオーディオ信号が起動用設定時間Ｔ２内に出力されない場合には、マイコン１５から起動制御信号がＤＳＰ１に出力される。これにより、ＤＳＰ１は起動信号を低音域増幅器に出力するので、低音域増幅器の電源オン状態は持続される。
【００２２】
上記のように、オーディオアンプの電源オン時には、低音域増幅器の電源が常時オン状態であるので、サブウーファー用チャンネルのオーディオ信号が、低音域増幅器の立ち上がり時間分だけ欠落して、サブウーファーから低音が再生出力されない惧れはない。
【００２３】
又、オーディオアンプの電源オン時の起動信号の出力時間が、低音域増幅器の立ち上がり時間よりも短くされるか、又は、上記起動信号が低音再生スピーカの再生帯域外の高周波信号とされ、オーディオアンプの電源オン後の起動信号が低音再生スピーカの再生帯域外の高周波信号とされているので、起動信号が例えばポッブ音として低音再生スピーカから出力される惧れもない。
【００２４】
尚、電源オン時にサブウーファーに起動信号を出力する際、ＶＯＬ１４が小さく調整されているときは、一時的にサブウーファー用のＶＯＬ１４を上げて、出力端子ＯＵＴ６に起動信号が出力されるようにする。
【００２５】
尚、上記実施の形態では、ＤＳＰから起動信号を出力したが、ＤＳＰとは別の回路から起動信号を低音用信号経路に出力してもよい。
【図面の簡単な説明】
【００２６】
【図１】本発明の実施の形態の一例を示すブロック図である。
【図２】図１の一部の信号の波形図である。
【図３】図１の制御方法を示すフローチャートである。
【符号の説明】
【００２７】
１  デジタル信号処理部（ＤＳＰ）
２  アナログデジタルコンバータ（ＡＤＣ）
３〜８  デジタルアナログコンバータ（ＤＡＣ）
１５  マイコン
【図１】
2008079084.tif 000003
【図２】
2008079084.tif 000004
【図３】
2008079084.tif 000005